(57)【要約】【課題】  鋸刃などの替え刃を保管しておく場所が手近に無い場合においても、紙や布などで包んだりしなくても安全に、工具本体内に簡単に保管しておくことができて、非常に便利な替え刃式工具を提供する。【解決手段】  替え刃Ｂの固定部材Ｆと、替え刃Ｂのホルダー部１および保管部２を有したハンドル本体Ｈと、このハンドル本体Ｈの保管部２の蓋体Ｃとから構成され、前記替え刃Ｂの後端に固定用孔３を設け、前記ホルダー部１の先端を替え刃Ｂの出入口１ａとし、内部を替え刃Ｂの収容室１ｂとし、側部に替え刃Ｂの固定部材Ｆの摺動スリット１ｃを形成したものとし、前記保管部２をホルダー部１の上方に形成し、側壁２ａに囲まれた保管室２ｂの上端縁を替え刃Ｂの出入口２ｃとし、前記蓋体Ｃを保管室２ｂの出入口２ｃを開閉し得るようにハンドル本体Ｈの後端に回動自在に取り付けたものとしている。【選択図面】    図８【実用新案登録請求の範囲】
【請求項１】
替え刃（Ｂ）の固定部材（Ｆ）と、替え刃（Ｂ）のホルダー部（１）および保管部（２）を有したハンドル本体（Ｈ）と、このハンドル本体（Ｈ）の保管部（２）の蓋体（Ｃ）とから構成され、前記替え刃（Ｂ）の後端に固定用孔（３）を設け、前記ホルダー部（１）の先端を替え刃（Ｂ）の出入口（１ａ）とし、内部を替え刃（Ｂ）の収容室（１ｂ）とし、側部に替え刃（Ｂ）の固定部材（Ｆ）の摺動スリット（１ｃ）を形成したものとし、前記保管部（２）をホルダー部（１）の上方に形成し、側壁（２ａ）に囲まれた保管室（２ｂ）の上端縁を替え刃（Ｂ）の出入口（２ｃ）とし、前記蓋体（Ｃ）を保管室（２ｂ）の出入口（２ｃ）を開閉し得るようにハンドル本体（Ｈ）の後端に回動自在に取り付けたことを特徴とする替え刃式工具。
【請求項２】
前記固定部材（Ｆ）を、外周面に滑り止めのローレット加工を施した円盤状の操作摘み（１１）と、この操作摘み（１１）の軸芯に取り付けられ、替え刃（Ｂ）の固定用孔（３）に挿脱自在とした固定ねじ（１２）と、この固定ねじ（１２）と螺合してホルダー部（１）の収容室（１ｂ）内を摺動する摺動部材（１３）とから成るものとしたことを特徴とする請求項１記載の替え刃式工具。
【請求項３】
前記摺動スリット（１ｃ）の上下端縁に、固定部材（Ｆ）の操作摘み（１１）の位置決め用の突起（４）を適宜間隔をおいて複数個、形成したことを特徴とする請求項１記載の替え刃式工具。
【請求項４】
前記蓋体（Ｃ）を被覆部（Ｃａ）に側壁（Ｃｂ）を垂設してなるものとし、この蓋体（Ｃ）の側壁（Ｃｂ）を前記保管室（２ｂ）の側壁（２ａ）に嵌脱自在にしたことを特徴とする請求項１記載の替え刃式工具。
【考案の詳細な説明】
【技術分野】
【０００１】
この考案は、鋸刃を目立ての異なったものに取り替えたり、鋸刃から切削刃に取り替えたり、鋸刃や切削刃の切れ味が低下した時に新しい物に取り替えたりすることのできる替え刃式工具に関するものである。
【背景技術】
【０００２】
従来、この種の替え刃式工具としては、例えば図９、１０に示したような替え刃式手引き鋸が存在する。この替え刃式手引き鋸は、グリップＧに設けた固定軸３０の円周上の異なる回転位置に大径部３２と小径部３１とを形成し、固定軸３０の小径部３１を鋸刃２０のガイド溝２１に挿通穴２２まで通過させ、固定軸３０を回転させて鋸刃２０を大径部３２によって抜け止めするようにしている。また、固定軸３０の回転に伴い、カム４１、４２と、カム受け４１ａ、４２ａとによってグリップＧのスリットＳを幅方向に締め付け、または緩めるようにしている（特許文献１）。
【０００３】
このように構成された従来の替え刃式工具では、鋸刃２０がグリップＧに対して前後、左右および上下のいずれの方向にもがたつかず、しかも鋸刃２０を簡便に取り替えることができるという効果を有するものとしている。
【特許文献１】特開２０００−６１０６（第１頁、図２、５）
【考案の開示】
【考案が解決しようとする課題】
【０００４】
上記従来の替え刃式工具では、鋸刃２０を簡便に取り替えることができるという効果を有するが、取り替えた鋸刃２０をそのままの状態で放置しておくことは危険であるため、その取り替えた鋸刃２０を保管しておく場所が必要となる。
【０００５】
しかしながら、前記鋸刃２０を保管しておく場所が手近に無い場合において、度々取り替える必要にあるときなどには、直ぐに取り替えることができず、不便であるという問題点を有していた。
【０００６】
また、前記鋸刃２０を保管しておく場所が手近にあった場合にも、刃を剥き出しにしたままでは危険であるので、紙や布などで包んだりしなければならず、面倒であるという問題点を有していた。
【０００７】
そこで、この考案は、上記従来の問題点を解決することをその課題としており、鋸刃などの替え刃を保管しておく場所が手近に無い場合においても、紙や布などで包んだりしなくても安全に、工具本体内に簡単に保管しておくことができて、非常に便利な替え刃式工具を提供することを目的としてなされたものである。
【課題を解決するための手段】
【０００８】
そのため、この考案の替え刃式工具は、替え刃Ｂの固定部材Ｆと、替え刃Ｂのホルダー部１および保管部２を有したハンドル本体Ｈと、このハンドル本体Ｈの保管部２の蓋体Ｃとから構成され、前記替え刃Ｂの後端に固定用孔３を設け、前記ホルダー部１の先端を替え刃Ｂの出入口１ａとし、内部を替え刃Ｂの収容室１ｂとし、側部に替え刃Ｂの固定部材Ｆの摺動スリット１ｃを形成したものとし、前記保管部２をホルダー部１の上方に形成し、側壁２ａに囲まれた保管室２ｂの上端縁を替え刃Ｂの出入口２ｃとし、前記蓋体Ｃを保管室２ｂの出入口２ｃを開閉し得るようにハンドル本体Ｈの後端に回動自在に取り付けたものとしている。
【０００９】
そして、この考案の替え刃式工具は、前記固定部材Ｆを、外周面に滑り止めのローレット加工を施した円盤状の操作摘み１１と、この操作摘み１１の軸芯に取り付けられ、替え刃Ｂの固定用孔３に挿脱自在とした固定ねじ１２と、この固定ねじ１２と螺合してホルダー部１の収容室１ｂ内を摺動する摺動部材１３とから成るものとしている。
【００１０】
さらに、この考案の替え刃式工具は、前記摺動スリット１ｃの上下端縁に、固定部材Ｆの操作摘み１１の位置決め用の突起４を適宜間隔をおいて複数個、形成したものとしている。
【００１１】
また、この考案の替え刃式工具は、前記蓋体Ｃを被覆部Ｃａに側壁Ｃｂを垂設してなるものとし、この蓋体Ｃの側壁Ｃｂを前記保管室２ｂの側壁２ａに嵌脱自在にしている。
【考案の効果】
【００１２】
この考案の替え刃式工具は、以上に述べたように構成されているので、替え刃を保管しておく場所が手近に無い場合においても、替え刃を紙や布などで包んだりしなくても安全に、工具本体内に簡単に保管しておくことができて、非常に便利なものとなる。
【考案を実施するための最良の形態】
【００１３】
以下、この考案の替え刃式工具を実施するための最良の形態を、図面に基づいて詳細に説明する。
【００１４】
この考案の替え刃式工具は、図１〜５に示したように、替え刃Ｂの固定部材Ｆと、替え刃Ｂのホルダー部１および保管部２を有したハンドル本体Ｈと、このハンドル本体Ｈの保管部２の蓋体Ｃとから構成されている。
【００１５】
前記替え刃Ｂは、図示したような鋸刃とすることができるが、ナイフ刃など、その他の刃物であってもよいことは言うまでもない。また、この替え刃Ｂの後端には、固定用孔３を設けたものとしている。
【００１６】
前記ホルダー部１は、先端を替え刃Ｂの出入口１ａとし、内部を替え刃Ｂの収容室１ｂとし、側部に替え刃Ｂの固定部材Ｆの摺動スリット１ｃを形成したものとしている。そして、この摺動スリット１ｃの上下端縁には、後に述べる固定部材Ｆの操作摘み１１の位置決め用の突起４を適宜間隔をおいて複数個、形成したものとしている。
【００１７】
前記保管部２は、ホルダー部１の上方に形成されており、側壁２ａに囲まれた保管室２ｂの上端縁を替え刃Ｂの出入口２ｃとし、保管室２ｂに一本の替え刃Ｂまたは複数本の替え刃Ｂ２を保管できるようにしている。
【００１８】
前記蓋体Ｃは、被覆部Ｃａに側壁Ｃｂを垂設してなり、保管室２ｂの出入口２ｃを開閉し得るようにハンドル本体Ｈの後端に回動自在に取り付けたものとし、その側壁Ｃｂを保管室２ｂの側壁２ａに嵌脱自在にしている。すなわち、前記蓋体Ｃが回動して、図６、７に示したように、その側壁Ｃｂが保管室２ｂの側壁２ａに嵌まり込んでいるときは、保管室２ｂの出入口２ｃはこの蓋体Ｃにより閉鎖されるようにしている。また、前記蓋体Ｃが回動して、図８に示したように、その側壁Ｃｂが保管室２ｂの側壁２ａから抜け出たときに、保管室２ｂの出入口２ｃは開放されるようにしている。なお、前記蓋体Ｃの回動端には、この蓋体Ｃを回動させるときに、指などを引っ掛けて回動操作をし易くするための掛部５を設けている。
【００１９】
前記固定部材Ｆは、外周面に滑り止めのローレット加工を施した円盤状の操作摘み１１と、この操作摘み１１の軸芯に取り付けられ、替え刃Ｂの固定用孔３に挿脱自在とした固定ねじ１２と、この固定ねじ１２と螺合してホルダー部１の収容室１ｂ内を摺動する摺動部材１３とから成るものとしている。そして、前記操作摘み１１に取り付けた固定ねじ１２を、替え刃Ｂの固定用孔３に通して摺動部材１３に浅く螺合させている場合には、操作摘み１１が摺動スリット１ｃの端縁を押圧することなく、固定部材Ｆは摺動スリット１ｃに沿って移動することができ、この固定部材Ｆの移動によって、ホルダー部１の先端の出入口１ａから替え刃Ｂを突き出させたり、ホルダー部１の収容室１ｂに替え刃Ｂを入り込ませるようにしている。また、前記操作摘み１１に取り付けた固定ねじ１２を、替え刃Ｂの固定用孔３に通して摺動部材１１に深く螺合させた場合には、操作摘み１１が摺動スリット１ｃの端縁を押圧して、固定部材Ｆが摺動スリット１ｃの適宜位置で固定された状態となるので、この固定部材Ｆの固定された位置で、ホルダー部１の先端の出入口１ａから替え刃Ｂを突き出させた状態を維持させたり、ホルダー部１の収容室１ｂに替え刃Ｂを入り込ませた状態を維持させるようにしている。
【００２０】
以上のように構成したこの考案の替え刃式工具は、前記固定部材Ｆの操作摘み１１を、ホルダー部１の先端寄りの位置決め用の突起４の前に位置させ、この操作摘み１１を前記したように摺動部材１３に深く螺合させた場合には、ホルダー部１の先端の出入口１ａから替え刃Ｂを突き出させた状態を維持できるので、ハンドル本体Ｈを蓋体Ｃとともに手で掴むことにより、その替え刃Ｂによる切削作業が可能となる。この場合、前記固定部材Ｆの操作摘み１１を、ホルダー部１の位置決め用の突起４の何れかの間に位置させれば、ホルダー部１の先端の出入口１ａからの替え刃Ｂの突き出させ具合を調節することができる。なお、切削作業中はハンドル本体Ｈを蓋体Ｃとともに手で掴んでいるので、切削作業中に蓋体Ｃが開放するようなことはなく、保管している別の替え刃Ｂがハンドル本体Ｈの保管部２から外に出てしまうようなことはない。
【００２１】
また、この考案の替え刃式工具は、前記固定部材Ｆの操作摘み１１を、ホルダー部１の後端寄りの位置決め用の突起４の後に位置させ、この操作摘み１１を前記したように摺動部材１３に深く螺合させた場合には、ホルダー部１の収容室１ｂに替え刃Ｂを入り込ませた状態を維持できる。さらに、保管室２ｂの出入口２ｃは、蓋体Ｃの側壁Ｃｂが保管室２ｂの側壁２ａに嵌まり込んだ状態で、この蓋体Ｃにより閉鎖されているので、保管室２ｂに保管している別の替え刃Ｂもこの保管室２ｂから外に外に出てしまうようなことはない。したがって、この考案の替え刃式工具は、そのままポケットなどに入れて持ち運びしても、その替え刃Ｂによって怪我などをするとなく、安全なものになる。
【００２２】
さらに、この考案の替え刃式工具は、前記固定部材Ｈの操作摘み１１を緩めて、固定ねじ１２と摺動部材１３との螺合を外して、この固定ねじ１２を替え刃Ｂの固定用孔３から抜けば、替え刃Ｂをホルダー部１から抜き出すことができる。次に、蓋体Ｃの掛部５に指などを引っ掛けて、この蓋体Ｃを開く方向に回動させると、保管室２ｂの出入口２ｃが開放される。そこで、この保管室２ｂから替え刃Ｂを取り出し、前記ホルダー部１から抜き出した替え刃Ｂをこの保管室２ｂに入れ、蓋体Ｃを閉じる方向に回動させて、保管室２ｂの出入口２ｃを閉鎖させる。そして、保管室２ｂから取り出した替え刃Ｂを、ホルダー部１の出入口１ａから収容室１ｂ内に差し込んで、固定部材Ｈの固定ねじ１２を替え刃Ｂの固定用孔３に入れ、操作摘み１１を締めて、固定ねじ１２と摺動部材１３を螺合させれば、この保管室２ｂから取り出した替え刃Ｂによって、前記したように切削作業が可能となったり、そのままポケットなどに入れて持ち運びが可能なものとなる。
【００２３】
したがって、この考案の替え刃式工具は、替え刃が取り替え易いものとなると共に、替え刃を保管しておく場所が手近に無い場合においても、紙や布などで包んだりしなくても安全に、工具本体内に簡単に保管しておくことができるものとなる。
【図面の簡単な説明】
【００２４】
【図１】この考案の替え刃式工具の実施形態を示す正面図である。
【図２】この考案の替え刃式工具の実施形態を示す平面図である。
【図３】図１中のＡ−Ａ線によるこの考案の替え刃式工具の断面図である。
【図４】図１中のＢ−Ｂ線によるこの考案の替え刃式工具の断面図である。
【図５】図２中のＣ−Ｃ線によるこの考案の替え刃式工具の断面図である。
【図６】この考案の替え刃式工具の刃を入れた状態の斜視図である。
【図７】この考案の替え刃式工具の刃を出した状態の斜視図である。
【図８】この考案の替え刃式工具の蓋体を開いた状態の斜視図である。
【図９】従来の替え刃式工具の要部の構造を示す分解斜視図である。
【図１０】従来の替え刃式工具の要部断面図であり、（ａ）はスリットを緩めた状態を示す図、（ｂ）はスリットを締めた状態を示す図である。
【符号の説明】
【００２５】
１  ホルダー部
１ａ  出入口
１ｂ  収容室
１ｃ  摺動スリット
２  保管部
２ａ  側壁
２ｂ  保管室
２ｃ  出入口
３  固定用孔
４  突起
１１  操作摘み
１２  固定ねじ
１３  摺動部材
Ｂ  替え刃
Ｃ  蓋体
Ｃａ  被覆部
Ｃｂ  側壁
Ｆ  固定部材
Ｈ  ハンドル
【図１】
0003104656.tif 000002
【図２】
0003104656.tif 000003
【図３】
0003104656.tif 000004
【図４】
0003104656.tif 000005
【図５】
0003104656.tif 000006
【図６】
0003104656.tif 000007
【図７】
0003104656.tif 000008
【図８】
0003104656.tif 000009
【図９】
0003104656.tif 000010
【図１０】
0003104656.tif 000011